(57)【要約】【課題】本発明は、オープンフィールドネットワークセンサのセンサ電源の電源ラインを用いて、センサの不揮発性メモリにセンサ固有のパラメータを記憶させることを目的とする。【解決手段】本発明によるオープンフィールドネットワークセンサのパラメータ設定方法及び装置は、オープンフィールドネットワークセンサ(50)のセンサ(1)に不揮発性メモリ(10)を内蔵し、このオープンフィールドネットワークセンサ(50)のセンサ電源(11)にアダプタ(21)の出力ライン(22)を接続し、センサ固有のパラメータ(1A)を不揮発性メモリ(10)に電源ラインを介して送り記憶させる方法と構成である。【選択図】図１
2005333259.tif 000002
【特許請求の範囲】
【請求項１】
センサ(1)からのセンサ出力(1a)をコンバータ(2)及び第１通信インターフェイス(3)を介してオープンフィールドネットワーク(4)へ送信するようにしたオープンフィールドネットワークセンサ(50)を用い、
前記第１通信インターフェイス(3)に不揮発性メモリ(10)を接続し、前記オープンフィールドネットワークセンサ(50)のセンサ電源(11)に対して、第２通信インターフェイス(25)及び第２変調／復調器(24)からなるアダプタ(21)の出力ライン(22)を前記センサ電源(11)に接続し、
前記第２通信インターフェイス(25)にパソコン(26)又は専用設定器(27)から入力した前記センサ固有のパラメータ(1A)を、前記出力ライン(22)、センサ電源(11)、第１変調／復調器(7)及び前記第１通信インターフェイス(3)を介して前記不揮発性メモリ(10)に記憶させることを特徴とするオープンフィールドネットワークセンサのパラメータ設定方法。
【請求項２】
前記パラメータ(1A)は、少なくとも局番、通信速度からなるセンサ固有情報よりなり、前記出力ライン(22)から前記第１通信インターフェイス(3)に送信される前記パラメータ(1A)はシリアル通信で行われることを特徴とする請求項１記載のオープンフィールドネットワークセンサのパラメータ設定方法。
【請求項３】
センサ(1)からのセンサ出力(1a)をコンバータ(2)及び第１通信インターフェイス(3)を介してオープンフィールドネットワーク(4)へ送信するようにしたオープンフィールドネットワークセンサ(50)において、
前記第１通信インターフェイス(3)に接続された不揮発性メモリ(10)及び第１変調／復調器(7)と、前記第１変調／復調器(7)に接続されたセンサ電源(11)と、第２通信インターフェイス(25)及び第２変調／復調器(24)からなるアダプタ(21)よりなり、
前記第２変調／復調器(24)からの出力ライン(22)を前記センサ電源(11)に接続し、前記第２通信インターフェイス(25)に入力したパラメータ(1A)を前記センサ電源(11)、第１変調／復調器(7)及び第１通信インターフェイス(3)を介して前記不揮発性メモリ(10)に記憶するように構成したことを特徴とするオープンフィールドネットワークセンサのパラメータ設定装置。
【請求項４】
前記パラメータ(1A)は、少なくとも局番、通信速度からなるセンサ固有情報よりなることを特徴とする請求項３記載のオープンフィールドネットワークセンサのパラメータ設定装置。
【発明の詳細な説明】
【技術分野】
【０００１】
本発明は、オープンフィールドネットワークセンサのパラメータ設定方法及び装置に関し、特に、内部に設けた不揮発性メモリに対して、外部のアダプタからのセンサ用のパラメータをセンサ電源を介して設定することができるようにするための新規な改良に関する。
【背景技術】
【０００２】
従来、用いられていたこの種のオープンフィールドネットワークセンサとしては、社内製作のみであるため、特許文献等は開示していないが、図２で示されるように構成されていた。
すなわち、図２において符号１で示されるものは回転検出器等のセンサであり、このセンサ１にはコンバータ２及び第１通信インターフェイス３が接続され、この第１通信インターフェイス３からは前記センサ１のセンサ出力１ａが外部のオープンフィールドネットワーク４へ送信されるように構成されている。
【０００３】
前記センサ１内には、このセンサ１のセンサ固有情報（例えば、局番、通信速度等）すなわち、センサ１固有のパラメータ１Ａを設定するためのディップスイッチ５が内蔵されており、このディップスイッチ５はセンサ１の蓋（図示せず）を開けて手動で設定入力するように構成されている。
また、駆動用のセンサ電源６は、前記第１通信インターフェイス３、コンバータ２及びセンサ１に供給されるように構成されている。
尚、前述のセンサ１、コンバータ２、第１通信インターフェイス３とセンサ電源１１によってオープンフィールドネットワークセンサ５０を構成している。
【発明の開示】
【発明が解決しようとする課題】
【０００４】
従来のオープンフィールドネットワークセンサは、以上のように構成されていたため、次のような課題が存在していた。
すなわち、センサ固有情報をセンサに設置するためには、センサの蓋を開けて内部のディップスイッチを手で操作し、また、手で閉じなければならないため、センサの気密性が保たれなくなり、センサの信頼性が損なわれることになっていた。
【課題を解決するための手段】
【０００５】
本発明によるオープンフィールドネットワークセンサのパラメータ設定方法は、センサからのセンサ出力をコンバータ及び第１通信インターフェイスを介してオープンフィールドネットワークへ送信するようにしたオープンフィールドネットワークセンサを用い、前記第１通信インターフェイスに不揮発性メモリを接続し、前記オープンフィールドネットワークセンサのセンサ電源に対して、第２通信インターフェイス及び第２変調／復調器からなるアダプタの出力ラインを前記センサ電源に接続し、前記第２通信インターフェイスにパソコン又は専用設定器から入力した前記センサ固有のパラメータを、前記出力ライン、センサ電源、第１変調／復調器及び前記第１通信インターフェイスを介して前記不揮発性メモリに記憶させる方法であり、また、前記パラメータは、少なくとも局番、通信速度からなるセンサ固有情報よりなり、前記出力ラインから前記第１通信インターフェイスに送信される前記パラメータはシリアル通信で行われる方法であり、また、本発明によるオープンフィールドネットワークセンサのパラメータ設定装置は、センサからのセンサ出力をコンバータ及び第１通信インターフェイスを介してオープンフィールドネットワークへ送信するようにしたオープンフィールドネットワークセンサにおいて、前記第１通信インターフェイスに接続された不揮発性メモリ及び第１変調／復調器と、前記第１変調／復調器に接続されたセンサ電源と、第２通信インターフェイス及び第２変調／復調器からなるアダプタよりなり、前記第２変調／復調器からの出力ラインを前記センサ電源に接続し、前記第２通信インターフェイスに入力したパラメータを前記センサ電源、第１変調／復調器及び第１通信インターフェイスを介して前記不揮発性メモリに記憶するようにした構成であり、また、前記パラメータは、少なくとも局番、通信速度からなるセンサ固有情報よりなる構成である。
【発明の効果】
【０００６】
本発明によるオープンフィールドネットワークセンサのパラメータ設定方法及び装置は、以上のように構成されているため、次のような効果を得ることができる。
すなわち、センサ電源の回線を介して接続したアダプタにより、センサ固有のパラメータをセンサに設けられた不揮発性メモリに記憶させることができ、従来のようにメモリの蓋を開ける必要がなく、センサの気密性が保たれ、信頼性向上が可能となる。
【発明を実施するための最良の形態】
【０００７】
本発明は、センサ電源の回線にアダプタを接続し、センサ固有のパラメータをこの回線を用いてセンサの不揮発性メモリに記憶することにより、センサの蓋を開けずに気密性を守ることを目的とする。
【実施例】
【０００８】
以下、図面と共に本発明によるオープンフィールドネットワークセンサのパラメータ設定方法及び装置の好適な実施の形態について説明する。
尚、従来例と同一又は同等部分については同一符号を用いて説明する。
図１において符号１で示されるものは、レゾルバ、シンクロ、エンコーダ等の回転検出器等のセンサであり、このセンサ１にはコンバータ２及び第１通信インターフェイス３が接続され、この第１通信インターフェイス３からは前記センサ１のセンサ出力１ａが外部のオープンフィールドネットワーク４へ送信されるように構成されている。
【０００９】
前記センサ１には、前記第１通信インターフェイス３に接続された不揮発性メモリ１０が内蔵され、この不揮発性メモリ１０に記憶されたセンサ固有情報（例えば、局番、通信速度等）であるセンサ１のパラメータ１Ａは、第１通信インターフェイス３を介して外部に読み出されるように構成されている。
【００１０】
前記センサ１等を駆動するためのセンサ電源１１は、第１変調／復調器７を介して前記第１通信インターフェイス３、コンバータ２及びセンサ１に供給されていると共に、第１フィルタ１２及びＤＣ／ＤＣコンバータ１３を介して前記不揮発性メモリ１０に供給されている。
【００１１】
前記センサ電源１１には、電源２０の供給を受けたアダプタ２１の出力ライン２２が接続されており、前記電源２０は第２フィルタ２３を介して前記出力ライン２２を有する第２変調／復調器２４に供給されている。
前記第２変調／復調器２４には、第２通信インターフェイス２５を介してパソコン２６または専用設定器２７が接続されている。
【００１２】
次に、動作について述べる。まず、アダプタ２１の出力ライン２２をセンサ電源１１に接続し、パソコン２６または専用設定器２７を用いて、センサ固有のパラメータ１Ａを第２通信インターフェイス２５及び第２変調／復調器２４を経て、前記センサ電源１１の電源ラインすなわち回線を用いて第１変調／復調器７及び第１通信インターフェイス３から不揮発性メモリ１０に記憶される。
【００１３】
従って、前記センサ１内の不揮発性メモリ１０にパラメータ１Ａを記憶させる場合、データの書込みを上位よりシリアル通信にて行うことにより、センサ１の電源ラインを用いていることができ、省配線化を達成し、センサ１の蓋を開けなくて済むことによって気密化を達成することができる。
【産業上の利用可能性】
【００１４】
本発明は、センサとしては回転検出器に限らず、固定型のセンサにも適用可である。
【図面の簡単な説明】
【００１５】
【図１】本発明によるオープンフィールドネットワークセンサのパラメータ設定方法および装置を示すブロック図である。
【図２】従来構成を示すブロック図である。
【符号の説明】
【００１６】
１    センサ
２    コンバータ
３    第１通信インターフェイス
４    オープンフィールドネットワーク
１０    不揮発性メモリ
１１    センサ電源
１２    第１フィルタ
１３    ＤＣ／ＤＣコンバータ
２０    電源
２１    アダプタ
２２    出力ライン
２４    第２変調／復調器
２５    第２通信インターフェイス
２６    パソコン
２７    専用設定器
５０    オープンフィールドネットワークセンサ
【図１】
2005333259.tif 000003
【図２】
2005333259.tif 000004